【手続補正書】
【提出日】平成28年4月1日(2016.4.1)
【手続補正１】
【補正対象書類名】明細書
【補正対象項目名】０００９
【補正方法】変更
【補正の内容】
【０００９】
本発明の請求項４に係る転写装置は、無端状で、記録媒体の裏面を支持して記録媒体の表面をトナー画像を保持する像保持体に接触させながら周回して記録媒体を搬送する搬送部材と、前記搬送部材に付着した異物を前記搬送部材から掻き出す掻出部材と、前記掻出部材に対して前記搬送部材の周回方向の下流側に配置され、前記搬送部材に付着した異物を前記搬送部材から掻き取る掻取部材と、転写出力が供給されることで前記搬送部材と前記像保持体との間の転写部で前記トナー画像を記録媒体に転写する転写部材と、前記転写出力に対して逆極性の逆出力が供給されることで前記転写部で前記トナー画像を構成しないトナーが前記搬送部材に付着するのを抑制する逆出力部材と、前記搬送部材の周回回数を記憶する記憶部材と、前記搬送部材の配置を前記像保持体と接触可能な接触位置と、前記搬送部材を前記像保持体と離間する離間位置とに切り替える切替部材と、前記切替部材によって前記搬送部材が前記離間位置から前記接触位置に切り替えられ、かつ、前記記憶部材に記憶されている前記搬送部材の周回回数が予め決められた閾値に達している際に、前記搬送部材によって搬送される１枚目の記録媒体が前記転写部に到達するまでに前記逆出力部材に供給される逆出力を、前記１枚目の記録媒体が前記転写部を通過した後に供給される逆出力に対して弱める、又は１枚目の記録媒体が前記転写部に到達するまでに前記逆出力部材への逆出力の供給を停止させる制御部と、を備えることを特徴とする。
【手続補正２】
【補正対象書類名】明細書
【補正対象項目名】００１０
【補正方法】変更
【補正の内容】
【００１０】
本発明の請求項５に係る転写装置は、無端状で、記録媒体の裏面を支持して記録媒体の表面をトナー画像を保持する像保持体に接触させながら周回して記録媒体を搬送する搬送部材と、前記搬送部材に付着した異物を前記搬送部材から掻き出す掻出部材と、前記掻出部材に対して前記搬送部材の周回方向の下流側に配置され、前記搬送部材に付着した異物を前記搬送部材から掻き取る掻取部材と、転写出力が供給されることで前記搬送部材と前記像保持体との間の転写部で前記トナー画像を記録媒体に転写する転写部材と、前記転写出力に対して逆極性の逆出力が供給されることで前記転写部で前記トナー画像を構成しないトナーが前記搬送部材に付着するのを抑制する逆出力部材と、装置周辺の温度を検出する検出部材と、前記搬送部材の周回回数を記憶する記憶部材と、前記搬送部材の配置を前記像保持体と接触可能な接触位置と、前記搬送部材を前記像保持体と離間する離間位置とに切り替える切替部材と、前記切替部材によって前記搬送部材が前記離間位置から前記接触位置に切り替えられ、前記記憶部材に記憶されている前記搬送部材の周回回数が予め決められた閾値に達し、かつ、前記検出部材によって検出された温度が予め決められた閾値以下に低下している際に、前記搬送部材によって搬送される１枚目の記録媒体が前記転写部に到達するまでに前記逆出力部材に供給される逆出力を、前記１枚目の記録媒体が前記転写部を通過した後に供給される逆出力に対して弱める、又は１枚目の記録媒体が前記転写部に到達するまでに前記逆出力部材への逆出力の供給を停止させる制御部と、を備えることを特徴とする。
【手続補正３】
【補正対象書類名】特許請求の範囲
【補正対象項目名】全文
【補正方法】変更
【補正の内容】
【特許請求の範囲】
【請求項１】
無端状で、記録媒体の裏面を支持して記録媒体の表面をトナー画像を保持する像保持体に接触させながら周回して記録媒体を搬送する搬送部材と、
前記搬送部材に付着した異物を前記搬送部材から掻き出す掻出部材と、
転写出力が供給されることで前記搬送部材と前記像保持体との間の転写部で前記トナー画像を記録媒体に転写する転写部材と、
前記転写出力に対して逆極性の逆出力が供給されることで前記転写部で前記トナー画像を構成しないトナーが前記搬送部材に付着するのを抑制する逆出力部材と、
前記搬送部材の配置を前記像保持体と接触可能な接触位置と、前記搬送部材を前記像保持体と離間する離間位置とに切り替える切替部材と、
前記切替部材によって前記搬送部材が前記離間位置から前記接触位置に切り替えられた際に、前記搬送部材によって搬送される１枚目の記録媒体が前記転写部に到達するまでに前記逆出力部材に供給される逆出力を、前記１枚目の記録媒体が前記転写部を通過した後に供給される逆出力に対して弱める、又は１枚目の記録媒体が前記転写部に到達するまでに前記逆出力部材への逆出力の供給を停止させる制御部と、
を備える転写装置。
【請求項２】
無端状で、記録媒体の裏面を支持して記録媒体の表面をトナー画像を保持する像保持体に接触させながら周回して記録媒体を搬送する搬送部材と、
前記搬送部材に付着した異物を前記搬送部材から掻き出す掻出部材と、
前記掻出部材に対して前記搬送部材の周回方向の下流側に配置され、前記搬送部材に付着した異物を前記搬送部材から掻き取る掻取部材と、
転写出力が供給されることで前記搬送部材と前記像保持体との間の転写部で前記トナー画像を記録媒体に転写する転写部材と、
前記転写部材によってトナー画像が転写された記録媒体の枚数を記憶する記憶部材と、
前記転写出力に対して逆極性の逆出力が供給されることで前記転写部で前記トナー画像を構成しないトナーが前記搬送部材に付着するのを抑制する逆出力部材と、
前記搬送部材の配置を前記像保持体と接触可能な接触位置と、前記搬送部材を前記像保持体と離間する離間位置とに切り替える切替部材と、
前記切替部材によって前記搬送部材が前記離間位置から前記接触位置に切り替えられ、かつ、前記記憶部材に記憶されている記録媒体の枚数が予め決められた閾値に達している際に、前記搬送部材によって搬送される１枚目の記録媒体が前記転写部に到達するまでに前記逆出力部材に供給される逆出力を、前記１枚目の記録媒体が前記転写部を通過した後に供給される逆出力に対して弱める、又は１枚目の記録媒体が前記転写部に到達するまでに前記逆出力部材への逆出力の供給を停止させる制御部と、
を備える転写装置。
【請求項３】
無端状で、記録媒体の裏面を支持して記録媒体の表面をトナー画像を保持する像保持体に接触させながら周回して記録媒体を搬送する搬送部材と、
前記搬送部材に付着した異物を前記搬送部材から掻き出す掻出部材と、
前記掻出部材に対して前記搬送部材の周回方向の下流側に配置され、前記搬送部材に付着した異物を前記搬送部材から掻き取る掻取部材と、
転写出力が供給されることで前記搬送部材と前記像保持体との間の転写部で前記トナー画像を記録媒体に転写する転写部材と、
前記転写出力に対して逆極性の逆出力が供給されることで前記転写部で前記トナー画像を構成しないトナーが前記搬送部材に付着するのを抑制する逆出力部材と、
前記転写部材によってトナー画像が転写された記録媒体の枚数を記憶する記憶部材と、
装置周辺の温度を検出する検出部材と、
前記搬送部材の配置を前記像保持体と接触可能な接触位置と、前記搬送部材を前記像保持体と離間する離間位置とに切り替える切替部材と、
前記切替部材によって前記搬送部材が前記離間位置から前記接触位置に切り替えられ、前記記憶部材に記憶されている記録媒体の枚数が予め決められた閾値に達し、かつ、前記検出部材によって検出された温度が予め決められた閾値以下に低下している際に、前記搬送部材によって搬送される１枚目の記録媒体が前記転写部に到達するまでに前記逆出力部材に供給される逆出力を、前記１枚目の記録媒体が前記転写部を通過した後に供給される逆出力に対して弱める、又は１枚目の記録媒体が前記転写部に到達するまでに前記逆出力部材への逆出力の供給を停止させる制御部と、
を備える転写装置。
【請求項４】
無端状で、記録媒体の裏面を支持して記録媒体の表面をトナー画像を保持する像保持体に接触させながら周回して記録媒体を搬送する搬送部材と、
前記搬送部材に付着した異物を前記搬送部材から掻き出す掻出部材と、
前記掻出部材に対して前記搬送部材の周回方向の下流側に配置され、前記搬送部材に付着した異物を前記搬送部材から掻き取る掻取部材と、
転写出力が供給されることで前記搬送部材と前記像保持体との間の転写部で前記トナー画像を記録媒体に転写する転写部材と、
前記転写出力に対して逆極性の逆出力が供給されることで前記転写部で前記トナー画像を構成しないトナーが前記搬送部材に付着するのを抑制する逆出力部材と、
前記搬送部材の周回回数を記憶する記憶部材と、
前記搬送部材の配置を前記像保持体と接触可能な接触位置と、前記搬送部材を前記像保持体と離間する離間位置とに切り替える切替部材と、
前記切替部材によって前記搬送部材が前記離間位置から前記接触位置に切り替えられ、かつ、前記記憶部材に記憶されている前記搬送部材の周回回数が予め決められた閾値に達している際に、前記搬送部材によって搬送される１枚目の記録媒体が前記転写部に到達するまでに前記逆出力部材に供給される逆出力を、前記１枚目の記録媒体が前記転写部を通過した後に供給される逆出力に対して弱める、又は１枚目の記録媒体が前記転写部に到達するまでに前記逆出力部材への逆出力の供給を停止させる制御部と、
を備える転写装置。
【請求項５】
無端状で、記録媒体の裏面を支持して記録媒体の表面をトナー画像を保持する像保持体に接触させながら周回して記録媒体を搬送する搬送部材と、
前記搬送部材に付着した異物を前記搬送部材から掻き出す掻出部材と、
前記掻出部材に対して前記搬送部材の周回方向の下流側に配置され、前記搬送部材に付着した異物を前記搬送部材から掻き取る掻取部材と、
転写出力が供給されることで前記搬送部材と前記像保持体との間の転写部で前記トナー画像を記録媒体に転写する転写部材と、
前記転写出力に対して逆極性の逆出力が供給されることで前記転写部で前記トナー画像を構成しないトナーが前記搬送部材に付着するのを抑制する逆出力部材と、
装置周辺の温度を検出する検出部材と、
前記搬送部材の周回回数を記憶する記憶部材と、
前記搬送部材の配置を前記像保持体と接触可能な接触位置と、前記搬送部材を前記像保持体と離間する離間位置とに切り替える切替部材と、
前記切替部材によって前記搬送部材が前記離間位置から前記接触位置に切り替えられ、前記記憶部材に記憶されている前記搬送部材の周回回数が予め決められた閾値に達し、かつ、前記検出部材によって検出された温度が予め決められた閾値以下に低下している際に、前記搬送部材によって搬送される１枚目の記録媒体が前記転写部に到達するまでに前記逆出力部材に供給される逆出力を、前記１枚目の記録媒体が前記転写部を通過した後に供給される逆出力に対して弱める、又は１枚目の記録媒体が前記転写部に到達するまでに前記逆出力部材への逆出力の供給を停止させる制御部と、
を備える転写装置。
【請求項６】
トナー画像を保持する像保持体と、
前記像保持体に形成されたトナー画像を記録媒体に転写する請求項１〜５の何れか１項に記載された転写装置と、
を備える画像形成装置。